(57)【要約】【課題】  消費電力を低減するとともに、撮影開始の即時性の向上を図ることができる監視カメラシステムを実現する。【解決手段】  監視カメラ１の撮影範囲内の監視対象に関わる変化を検出する撮影用センサ２と、監視カメラ１の撮影範囲外の監視対象に関わる変化を検出する不審者検出用センサ３と、不審者検出用センサ３の検出結果に応じて監視カメラ１を電源オンする電源制御部６と、撮影用センサ２の検出結果に応じて監視カメラ１の撮影を開始する制御部４とを備える。【選択図】    図１
2006013721.tif 000002
【特許請求の範囲】
【請求項１】
監視カメラと、
前記監視カメラの撮影範囲内の監視対象に関わる変化を検出する第１のセンサと、
前記監視カメラの撮影範囲外の監視対象に関わる変化を検出する第２のセンサと、
前記第２のセンサの検出結果に応じて、前記監視カメラを電源オンする電源制御手段と、
前記第１のセンサの検出結果に応じて、前記監視カメラの撮影を開始する撮影制御手段と、
を備えたことを特徴とする監視カメラシステム。
【請求項２】
前記電源制御手段によって前記監視カメラとともに電源オンされ、前記監視カメラの映像信号を記憶する記憶手段を備えたことを特徴とする請求項１に記載の監視カメラシステム。
【請求項３】
前記電源制御手段によって前記監視カメラとともに電源オンされ、音声を集音する集音手段を備えたことを特徴とする請求項１又は２に記載の監視カメラシステム。
【請求項４】
前記電源制御手段によって前記監視カメラとともに電源オンされ、前記監視カメラの映像信号を通信回線を介して送信する通信手段を備えたことを特徴とする請求項１から３のいずれか１項に記載の監視カメラシステム。
【請求項５】
前記電源制御手段によって前記監視カメラとともに電源オンされ、前記第２のセンサの検出結果を通信回線を介して送信する通信手段を備えたことを特徴とする請求項１から４のいずれか１項に記載の監視カメラシステム。
【請求項６】
前記電源制御手段によって前記監視カメラとともに電源オンされ、前記第２のセンサの検出結果に応じて警報を発する警報手段を備えたことを特徴とする請求項１から５のいずれか１項に記載の監視カメラシステム。
【請求項７】
前記第１のセンサは、前記電源制御手段によって前記監視カメラとともに電源オンされることを特徴とする請求項１から６のいずれか１項に記載の監視カメラシステム。
【請求項８】
前記第２のセンサは、前記監視カメラが起動されてから撮影可能となるまでの準備期間に応じた位置に配置されることを特徴とする請求項１から７のいずれか１項に記載の監視カメラシステム。
【請求項９】
監視カメラを有するカメラユニットと、
前記監視カメラの撮影範囲内の監視対象に関わる変化を検出する第１のセンサを有する第１のセンサユニットと、
前記監視カメラの撮影範囲外の監視対象に関わる変化を検出する第２のセンサを有する第２のセンサユニットと、
前記カメラユニット、前記第１のセンサユニットおよび前記第２のセンサユニットを制御する制御手段を有する制御ユニットとを備え、
前記カメラユニット、前記第１のセンサユニット、前記第２のセンサユニットおよび前記制御ユニットはそれぞれ電源手段を有し、
前記制御手段は、
前記第２のセンサの検出結果に応じて、前記監視カメラを電源オンし、
前記第１のセンサの検出結果に応じて、前記監視カメラの撮影を開始することを特徴とする監視カメラシステム。
【発明の詳細な説明】
【技術分野】
【０００１】
本発明は、防犯等に利用される監視カメラシステムに関する。
【背景技術】
【０００２】
従来の監視カメラシステムでは、監視対象に関わる変化を検出するセンサを備え、このセンサには常時通電しておき、センサの検出結果が所定レベル以上に達した場合に、監視カメラや録画装置等の電源を投入することにより、消費電力の低減を図っている（例えば、特許文献１参照）。また、監視カメラの撮影方向を可変する手段を備え、さらに上記センサを複数配設し、それら複数のセンサの検出結果に応じた方向を監視カメラが撮影するように制御している（例えば、特許文献１参照）。
【０００３】
また、監視対象の状況変化を検出するセンサ部と、センサ部の検出した信号が異常か否かを判別する判別部とを備え、通常の監視状態の場合は、センサ部と判別部と各部を制御する制御部とにプリヒート電力を供給し、判別部が異常を検出した場合は、監視カメラやモニタ等に電力を供給するものも知られている（例えば、特許文献２参照）。
【特許文献１】特開２００１−２９８７２９号公報（第３−４頁、第１図、第２図）
【特許文献２】特開平８−９３６０号公報（第３頁、第１図、第２図）
【発明の開示】
【発明が解決しようとする課題】
【０００４】
しかし、上述した従来の監視カメラシステムでは、監視カメラが撮影する監視対象に係る変化に応じて、監視カメラに対して通電されるが、一般的には通電後に監視カメラが撮影可能となるまでには一定の時間を要するので、センサ部が不審者などの侵入を検出してから実際に撮影が開始されるまでにその期間だけ遅れることとなり、撮影を開始した時点で既に不審者が監視カメラの撮影範囲外に移動した場合、肝心の画像が得られないという問題がある。このため監視カメラに対してプリヒート電力を供給するようにすれば、撮影開始の遅れを短縮できるが、消費電力が増大する。そのため従来の監視システムは電力を多く消費し、また電池等の携帯型の電源が使用できず設置に多くの制約があった。
【０００５】
本発明は、このような事情を考慮してなされたもので、その目的は、消費電力を低減するとともに、撮影開始の即時性の向上を図ることができる監視カメラシステムを提供することにある。
【課題を解決するための手段】
【０００６】
上記の課題を解決するために、本発明に係る監視カメラシステムは、監視カメラと、前記監視カメラの撮影範囲内の監視対象に関わる変化を検出する第１のセンサと、前記監視カメラの撮影範囲外の監視対象に関わる変化を検出する第２のセンサと、前記第２のセンサの検出結果に応じて、前記監視カメラを電源オンする電源制御手段と、前記第１のセンサの検出結果に応じて、前記監視カメラの撮影を開始する撮影制御手段とを備えたことを特徴としている。
【０００７】
この構成によれば、第２のセンサを設けることにより、監視カメラの撮影範囲内に不審者が進入する前に当該不審者を検出し、この検出時点で監視カメラを起動して撮影準備を行うことができる。これにより、撮影開始の即時性が向上する。さらに、通常状態では、監視カメラには通電されないので、消費電力の低減を図ることができる。
【０００８】
本発明に係る監視カメラシステムにおいては、前記電源制御手段によって前記監視カメラとともに電源オンされ、前記監視カメラの映像信号を記憶する記憶手段を備えたことを特徴とする。
【０００９】
この構成によれば、監視カメラによる映像を記録することができる。さらに、通常状態では、記憶手段には通電されないので、省電力化も図れる。
【００１０】
本発明に係る監視カメラシステムにおいては、前記電源制御手段によって前記監視カメラとともに電源オンされ、音声を集音する集音手段を備えたことを特徴とする。
【００１１】
この構成によれば、音声を記録することができる。さらに、通常状態では、集音手段には通電されないので、省電力化も図れる。
【００１２】
本発明に係る監視カメラシステムにおいては、前記電源制御手段によって前記監視カメラとともに電源オンされ、前記監視カメラの映像信号を通信回線を介して送信する通信手段を備えたことを特徴とする。
【００１３】
この構成によれば、外部の通信端末へ監視カメラによる映像を転送することができる。さらに、通常状態では、通信手段には通電されないので、省電力化も図れる。
【００１４】
本発明に係る監視カメラシステムにおいては、前記電源制御手段によって前記監視カメラとともに電源オンされ、前記第２のセンサの検出結果を通信回線を介して送信する通信手段を備えたことを特徴とする。
【００１５】
この構成によれば、利用者に対して、「不審者検出有り」をいち早く通報することができる。
【００１６】
本発明に係る監視カメラシステムにおいては、前記電源制御手段によって前記監視カメラとともに電源オンされ、前記第２のセンサの検出結果に応じて警報を発する警報手段を備えたことを特徴とする。
【００１７】
この構成によれば、不審者に対して警報を発することができる。さらに、通常状態では、警報手段には通電されないので、省電力化も図れる。
【００１８】
本発明に係る監視カメラシステムにおいては、前記第１のセンサは、前記電源制御手段によって前記監視カメラとともに電源オンされることを特徴とする。
【００１９】
この構成によれば、通常状態では、第１のセンサには通電されないので、さらに省電力化を図ることができる。
【００２０】
本発明に係る監視カメラシステムにおいては、前記第２のセンサは、前記監視カメラが起動されてから撮影可能となるまでの準備期間に応じた位置に配置されることを特徴とする。
【００２１】
この構成によれば、不審者が第２のセンサによって検出されてから監視カメラの撮影範囲内に進入するまでには、監視カメラの撮影準備が完了するので、監視カメラが撮影範囲内に進入した不審者をより確実に撮影することが可能となる。
【００２２】
本発明に係る監視カメラシステムは、監視カメラを有するカメラユニットと、前記監視カメラの撮影範囲内の監視対象に関わる変化を検出する第１のセンサを有する第１のセンサユニットと、前記監視カメラの撮影範囲外の監視対象に関わる変化を検出する第２のセンサを有する第２のセンサユニットと、前記カメラユニット、前記第１のセンサユニットおよび前記第２のセンサユニットを制御する制御手段を有する制御ユニットとを備え、前記カメラユニット、前記第１のセンサユニット、前記第２のセンサユニットおよび前記制御ユニットはそれぞれ電源手段を有し、前記制御手段は、前記第２のセンサの検出結果に応じて、前記監視カメラを電源オンし、前記第１のセンサの検出結果に応じて、前記監視カメラの撮影を開始することを特徴としている。
【００２３】
この構成によれば、各部がユニット化されているので、監視カメラシステムの設置の自由度が向上する。
【発明の効果】
【００２４】
本発明によれば、第２のセンサを設けることにより、監視カメラの撮影範囲内に不審者が進入する前に当該不審者を検出し、この検出時点で監視カメラを起動して撮影準備を行うことができる。これにより、撮影開始の即時性が向上する。さらに、通常状態では、監視カメラには通電されないので、消費電力の低減を図ることができる。これにより電池等の携帯型の電源の使用も可能となり、監視カメラの設置の自由度が上がり、個人宅などでの使用も容易となる。
【発明を実施するための最良の形態】
【００２５】
以下、図面を参照し、本発明の各実施形態について順次説明する。
【００２６】
図１は、本発明の第１の実施形態に係る監視カメラシステムの構成を示すブロック図である。本実施形態に係る監視カメラシステムは、例えば防犯のために利用されるものであり、一般家庭の宅内等に設置され、不審者の侵入を検知して監視カメラで不審者を撮影することを目的とする。
【００２７】
図１において、監視カメラ１は、一定の空間範囲を撮影し、撮影した映像信号を制御部４へ出力する。監視カメラ１としては、静止画像を得るための静止画カメラ、動画像を得るための動画カメラ、赤外線カメラなどが利用可能である。
【００２８】
撮影用センサ２は、監視カメラ１の撮影範囲内の監視対象に関わる変化を検出し、検出レベルが所定のレベル以上に達した場合に検出信号を制御部４へ出力する。撮影用センサ２としては、移動体検出用のセンサ、赤外線センサなどが利用可能である。撮影用センサ２は、例えば、監視カメラ１の前（撮影方向側）に配置される。この撮影用センサ２によって、監視カメラ１の撮影範囲内に不審者が進入したことを検出することができる。
【００２９】
不審者検出用センサ３は、監視カメラ１の撮影範囲外の監視対象に関わる変化を検出し、検出レベルが所定のレベル以上に達した場合に検出信号を制御部４へ出力する。不審者検出用センサ３は、例えば、金庫が置かれている居間を監視カメラ１で撮影する場合、居間に通じる廊下や玄関口、居間のドアや窓の侵入口、監視カメラの撮影範囲外で不審者を検出できる場所などに配置する。この不審者検出用センサ３によって、不審者が監視カメラ１の撮影範囲内に進入する前に、当該不審者を検出することができる。不審者検出用センサ３としては、移動体検出用のセンサ、赤外線センサ、ドアや窓の開閉動作を検出するセンサ、ドアや窓の開閉音を検出するセンサ、振動を検出するセンサなどが利用可能である。
【００３０】
制御部４は、監視カメラシステムの各部を制御する。
【００３１】
電源部５は、監視カメラシステム内の各部で消費される電力の供給源である。電源部５としては、例えば、商用電源、バッテリなどが利用可能である。また、停電時やバッテリ切れ時などのための補助電源を設けてもよい。この電源部５からは、不審者検出用センサ３、制御部４及び電源制御部６にのみ、電源ラインＰ１が接続される。これにより、不審者検出用センサ３、制御部４及び電源制御部６は、常時通電されている。
【００３２】
電源制御部６は、常時通電対象以外の各部に対する電力供給を制御する。電源制御部６は、制御部４から電源ＯＮの指示を受けると、電源ラインＰ２を介して常時通電対象以外の各部に電力供給を開始する。図１では、監視カメラ１、撮影用センサ２及びストレージデバイス１１が、電源ラインＰ２を介して電力供給を受ける。これにより、監視カメラ１、撮影用センサ２及びストレージデバイス１１は、通常状態では通電されておらず、制御部４からの指示により電源ＯＮされた場合に通電される。
【００３３】
ストレージデバイス１１は、監視カメラ１により撮影された映像信号等を制御部４から受け取り記憶する。ストレージデバイス１１としては、ハードディスク、磁気テープ、半導体メモリなどが利用可能である。
【００３４】
次に、上記図１の監視カメラシステムの動作を説明する。
【００３５】
図２は、本発明に係る監視カメラシステムの処理フロー図である。図３は、本発明の第１の実施形態による監視カメラシステムに係る動作を説明するための説明図である。
【００３６】
先ず、通常状態では、不審者検出用センサ３、制御部４及び電源制御部６のみに通電されている。これにより、不審者検出用センサ３及び電源制御部６は通常の動作状態となっているが、制御部４は必要最小限の電力で動作するＳｌｅｅｐ状態となっている。
【００３７】
次いで、不審者が侵入し、これを不審者検出用センサ３が検出する（図２のＳ１）。これにより、不審者検出用センサ３は、制御部４へ検出信号（起動トリガ）を送信する（図２のＳ２）。この起動トリガを受信すると、制御部４はＳｌｅｅｐ状態から通常の動作状態に移行する（図２のＳ３）。
【００３８】
次いで、制御部４は、電源制御部６に対して電源ＯＮを指示する（図２のＳ４）。これにより、監視カメラ１、撮影用センサ２及びストレージデバイス１１が電源ＯＮされて起動される（図３のＳ１０１）。
【００３９】
次いで、不審者が移動し、これを撮影用センサ２が検出する（図２のＳ５）。これにより、撮影用センサ２は、制御部４へ検出信号（撮影トリガ）を送信する（図２のＳ６）。この撮影トリガを受信すると、制御部４は監視カメラ１へ撮影指示を送る（図２のＳ７）。この時点では、監視カメラ１の起動時点から時間が経過しているので、監視カメラ１は既に撮影可能状態になっている。これにより、監視カメラ１は、制御部４からの撮影指示を受け取ると、直ぐに撮影を開始する（図２のＳ８、図３のＳ１０２）。
【００４０】
次いで、制御部４は、監視カメラ１からの映像信号をストレージデバイス１１へ出力し、ストレージデバイス１１内に映像信号を保存する（図３のＳ１０３）。
【００４１】
上述したように本実施形態によれば、不審者検出用センサ３を設けることにより、監視カメラ１の撮影範囲内に不審者が進入する前に当該不審者を検出し、この検出時点で監視カメラ１を起動して撮影準備を行うことができる。これにより、撮影開始の即時性が向上する。さらに、通常状態では、監視カメラ１、撮影用センサ２及びストレージデバイス１１には通電されないので、消費電力の低減を図ることができる。
【００４２】
なお、不審者検出用センサ３は、監視カメラ１が起動されてから撮影可能となるまでの準備期間に応じた位置に配置することが好ましい。これにより、不審者が不審者検出用センサ３によって検出されてから監視カメラ１の撮影範囲内に進入するまでには、監視カメラ１の撮影準備が完了するので、監視カメラ１が撮影範囲内に進入した不審者をより確実に撮影することが可能となる。
【００４３】
次に、第２の実施形態を説明する。
【００４４】
図４は、本発明の第２の実施形態に係る監視カメラシステムの構成を示すブロック図である。この図４において図１の各部に対応する部分には同一の符号を付け、その説明を省略する。
【００４５】
図４の監視カメラシステムは、図１の構成に加えてさらに集音部１２を備える。集音部１２は、マイクと、マイクの出力信号を増幅するアンプなどから構成される。集音部１２のマイクは、監視カメラ１の撮影範囲の音を集音可能な位置に配置する。
【００４６】
集音部１２は、電源制御部６からの電源ラインＰ２を介して電力供給を受ける。これにより、集音部１２は、通常状態では通電されておらず、上記した不審者検出用センサ３の起動トリガによって電源ＯＮされ、集音可能な状態となる。制御部４は、上記した撮影用センサ２の撮影トリガにより、監視カメラ１に撮影開始を指示するとともに、集音部１２に対して集音開始を指示する。この指示を受けると、集音部１２はマイクにより集音した音声信号を制御部４へ出力する。制御部４は、この音声信号を監視カメラ１の映像信号と同期させてストレージデバイス１１に保存する。
【００４７】
上述した第２の実施形態によれば、集音部１２を設けることにより、監視カメラ１による映像とともに音声を記録することができる。さらに、通常状態では、集音部１２には通電されないので、省電力化も図れる。
【００４８】
なお、集音部１２が録音手段を備えて集音した音声を記録するようにしてもよい。
【００４９】
次に、第３の実施形態を説明する。
【００５０】
図５は、本発明の第３の実施形態に係る監視カメラシステムの構成を示すブロック図である。この図５において図１の各部に対応する部分には同一の符号を付け、その説明を省略する。
【００５１】
図５の監視カメラシステムは、図１の構成に加えてさらに通信部２１を備える。通信部２１は、通信ネットワークを介して外部の通信端末との間でデータを送受信する。この通信部２１は、電源制御部６からの電源ラインＰ２を介して電力供給を受ける。これにより、通信部２１は、通常状態では通電されておらず、上記した不審者検出用センサ３の起動トリガによって電源ＯＮされ、通信可能な状態となる。
【００５２】
図６は、本発明の第３の実施形態による監視カメラシステムに係る動作を説明するための説明図である。この図６において図３の各部、各ステップに対応する部分には同一の符号を付している。図６は、本発明の第３の実施形態による監視カメラシステムに係る動作を説明するための説明図である。
【００５３】
図６には、通信ネットワーク３１と通信端末３２とが示されている。図５の通信部２１は、通信ネットワーク３１を介して通信端末３２とデータを送受信することができる。
【００５４】
通信ネットワーク３１は、有線ネットワークであってもよく、或いは無線ネットワークであってもよい。また、公衆ネットワーク（公衆電話網、携帯電話網、インターネット等）であってもよく、或いはＬＡＮ等の私設ネットワークであってもよい。
【００５５】
通信端末３２は、パーソナルコンピュータ等の固定端末であってもよく、或いは携帯電話機等の移動端末であってもよい。また、汎用端末であってもよく、専用端末であってもよい。
【００５６】
図６において、不審者検出用センサ３が不審者を検出した場合、監視カメラ１及び撮影用センサ２が起動されるが（Ｓ１０１）、この時、通信部２１も起動される。次いで、制御部４は、撮影用センサ２の撮影トリガにより、監視カメラ１に撮影開始を指示し（Ｓ１０２）、監視カメラ１からの映像信号を通信部２１へ出力する。通信部２１は、制御部４から受信した映像信号を通信ネットワーク３１を介して通信端末３２へ送信する（Ｓ２０１）。
【００５７】
上述した第３の実施形態によれば、通信部２１を設けることにより、通信ネットワーク３１を介して外部の通信端末３２へ監視カメラ１による映像を転送することができる。これにより、利用者は、例えば外出先から自宅の映像をリアルタイムでモニタすることができる。さらに、通常状態では、通信部２１には通電されないので、省電力化も図れる。
【００５８】
次に、第４の実施形態を説明する。
【００５９】
第４の実施形態に係る監視カメラシステムは、上記図５と同様の構成である。図７は、本発明の第４の実施形態による監視カメラシステムに係る動作を説明するための説明図である。この図７において図６の各部、各ステップに対応する部分には同一の符号を付している。
【００６０】
図７において、不審者検出用センサ３が不審者を検出した場合、Ｓ１０１で監視カメラ１、撮影用センサ２及び通信部２１が起動され、この時、制御部４は、通信部２１により、通信端末３２へ検出情報を送信する（Ｓ３０１）。この検出情報は、利用者に対して、先ず不審者が検出されたことを通報するための情報である。検出情報を受信した通信端末３２はアラーム音や振動などを発生して利用者に注意を喚起する。次いで、制御部４は、撮影用センサ２の撮影トリガにより、監視カメラ１に撮影開始を指示し（Ｓ１０２）、監視カメラ１からの映像信号を通信部２１へ出力する。通信部２１は、制御部４から受信した映像信号を通信ネットワーク３１を介して通信端末３２へ送信する（Ｓ２０１）。
【００６１】
上述した第４の実施形態によれば、利用者に対して、「不審者検出有り」をいち早く通報することができる。また、不審者検出有りを受けた利用者の通信端末に、追って撮影画像が送信されるとの予告が送信されることとなり、利用者に対して確実に撮影画像を見るように促すことが可能となる。
【００６２】
次に、第５の実施形態を説明する。
【００６３】
図８は、本発明の第５の実施形態に係る監視カメラシステムの構成を示すブロック図である。この図８において図５の各部に対応する部分には同一の符号を付け、その説明を省略する。
【００６４】
図８の監視カメラシステムは、図５の構成に加えてさらに警報部４１を備える。警報部４１は、音や光などによって警報を発するものである。例えば、警報音を発生する音源及びスピーカから構成される。また、投光器やフラッシュなどの光源を備えるものであってもよい。この警報部４１は、電源制御部６からの電源ラインＰ２を介して電力供給を受ける。これにより、警報部４１は、通常状態では通電されておらず、上記した不審者検出用センサ３の起動トリガによって電源ＯＮされ、警報可能な状態となる。
【００６５】
図９は、本発明の第５の実施形態による監視カメラシステムに係る動作を説明するための説明図である。この図９において図６の各部、各ステップに対応する部分には同一の符号を付している。
【００６６】
図９において、不審者検出用センサ３が不審者を検出した場合、Ｓ１０１’で監視カメラ１、撮影用センサ２、通信部２１及び警報部４１が起動される。そして、この時、制御部４は、警報部４１に対して、警報の発生を指示する。次いで、制御部４は、撮影用センサ２の撮影トリガにより、監視カメラ１に撮影開始を指示し（Ｓ１０２）、監視カメラ１からの映像信号を通信部２１へ出力する。通信部２１は、制御部４から受信した映像信号を通信ネットワーク３１を介して通信端末３２へ送信する（Ｓ２０１）。
【００６７】
上述した第５の実施形態によれば、不審者に対して警報を発することができる。さらに、通常状態では、警報部４１には通電されないので、省電力化も図れる。
【００６８】
次に、第６の実施形態を説明する。
【００６９】
図１０は、本発明の第６の実施形態に係る監視カメラシステムの構成を示すブロック図である。図１０の監視カメラシステムは、撮影カメラユニット１００と撮影用センサユニット２００と不審者検出用センサユニット３００と制御ユニット４００とから構成される。各ユニット１００，２００，３００，４００は、それぞれが一装置として構成されている。各ユニット１００，２００，３００，４００は、それぞれ制御部１０２，２０２，３０２，４０２、電源部１０３，２０３，３０３，４０３および電源制御部１０４，２０４，３０４，４０４を有する。
【００７０】
撮影カメラユニット１００は、上記した監視カメラ１に対応する撮影カメラ１０１を備える。撮影用センサユニット２００は、上記した撮影用センサ２に対応する撮影用センサ２０１を備える。不審者検出用センサユニット３００は、上記した不審者検出用センサ３に対応する不審者検出用センサ３０１を備える。制御ユニット４００は、上記した通信部２１に対応する通信部４０１を備える。また、制御ユニット４００の制御部４０２は、上記した制御部４に対応している。
【００７１】
撮影カメラユニット１００、撮影用センサユニット２００および制御ユニット４００は、それぞれ送受信部１０５，２０５，４０５を有する。撮影カメラユニット１００および撮影用センサユニット２００の各送受信部１０５，２０５は、制御ユニット４００の送受信部４０５と通信により接続され、制御ユニット４００の送受信部４０５との間でデータを送受信する。不審者検出用センサユニット３００は送信部３０５を有する。不審者検出用センサユニット３００の送信部３０５は、制御ユニット４００の送受信部４０５と通信により接続され、制御ユニット４００の送受信部４０５にデータを送信する。上記通信接続は無線であってもよく、或いは有線であってもよい。
【００７２】
次に、図１１及び１２を参照して、図１０の監視カメラシステムに係る動作を説明する。図１１及び１２は、図１０に示す監視カメラシステムの動作フローを示すフローチャートである。
【００７３】
図１１において、各ユニット１００，２００，３００，４００の動作開始時点の状態は、撮影カメラユニット１００において、制御部１０２はＳｌｅｅｐ状態であり、送受信部１０５は受信待ち受け状態であり、撮影カメラ１０１は電源オフである。撮影用センサユニット２００において、制御部２０２はＳｌｅｅｐ状態であり、送受信部２０５は受信待ち受け状態であり、撮影用センサ２０１は電源オフである。不審者検出用センサユニット３００において、制御部３０２はＳｌｅｅｐ状態であり、不審者検出用センサ３０１は動作状態である。制御ユニット４００において、制御部４０２はＳｌｅｅｐ状態であり、送受信部４０５は受信待ち受け状態である。なお、Ｓｌｅｅｐ状態では、各部は必要最小限の電力で動作している。
【００７４】
次いで、不審者検出用センサ３０１が不審者等の侵入を検出すると（Ｓ１００１がＹＥＳ）、不審者検出用センサユニット３００において、制御部３０２が、Ｓｌｅｅｐ状態から動作状態となり、電源制御部３０４を制御して送信部３０５を電源オンし、送信部３０５により制御ユニット４００へ不審者検出ありのデータを送信する（Ｓ１００２）。
【００７５】
次いで、制御ユニット４００において、送受信部４０５が不審者検出用センサユニット３００からの不審者検出ありのデータを受信すると、制御部４０２が、Ｓｌｅｅｐ状態から動作状態となり、送受信部４０５により撮影カメラユニット１００および撮影用センサユニット２００に対して起動指示のデータを送信し、電源制御部４０４を制御して通信部４０１を電源オンする（Ｓ１００３）。
【００７６】
図１２に説明を移し、撮影カメラユニット１００において、送受信部１０５が制御ユニット４００からの起動指示のデータを受信すると、制御部１０２が、Ｓｌｅｅｐ状態から動作状態となり、電源制御部１０４を制御して撮影カメラ１０１を電源オンする（Ｓ１００４）。
【００７７】
また、撮影用センサユニット２００において、送受信部２０５が制御ユニット４００からの起動指示のデータを受信すると、制御部２０２が、Ｓｌｅｅｐ状態から動作状態となり、電源制御部２０４を制御して撮影用センサ２０１を電源オンする（Ｓ１００５）。
【００７８】
次いで、電源オンから予め定められた一定時間内に、撮影用センサ２０１が不審者等の侵入を検出すると（Ｓ１００６がＹＥＳ）、撮影用センサユニット２００において、制御部２０２が、送受信部２０５により制御ユニット４００へ不審者検出ありのデータを送信する（Ｓ１００７）。一方、一定時間内に撮影用センサ２０１の検出がない場合には（Ｓ１００６がＮＯ）、制御部２０２が、送受信部２０５により制御ユニット４００へ不審者検出なしのデータを送信し、これを受信した制御ユニット４００の制御部４０２が各部１００，２００，３００，４００を動作開始時点の状態に戻す処理を行う。
【００７９】
次いで、制御ユニット４００において、送受信部４０５が撮影用センサユニット２００からの不審者検出ありのデータを受信すると、制御部４０２が、送受信部４０５により撮影カメラユニット１００に対して撮影開始指示のデータを送信する（Ｓ１００８）。
【００８０】
次いで、撮影カメラユニット１００において、送受信部１０５が制御ユニット４００からの撮影開始指示のデータを受信すると、制御部１０２が、撮影カメラ１０１を制御して撮影を開始し、撮影カメラ１０１で撮影された画像データを送受信部１０５により制御ユニット４００へ送信する（Ｓ１００９）。
【００８１】
次いで、制御ユニット４００において、送受信部４０５が撮影カメラユニット１００からの画像データを受信すると、制御部４０２が、通信部４０１により該画像データを利用者の通信端末等へ送信する（Ｓ１０１０）。
【００８２】
上述した第６の実施形態によれば、各部がユニット化されているので、監視カメラシステムの設置の自由度が向上する。また、コントロールセンターとなる制御ユニット４００と他のユニット１００，２００，３００の間を無線（電波もしくは赤外線等）通信により接続し、各部を電池駆動すれば、設置場所に限定されることなく、容易に監視システムを設置することが可能となる。
【００８３】
なお、上述した第３〜６の実施形態において、上記図１と同様にストレージデバイス１１を備えて監視カメラ１の映像を保存するようにしてもよい。また、通信部２１が通信ネットワーク３１を介して外部の記憶装置へ監視カメラ１の映像を送信し、外部の記憶装置内に監視カメラ１の映像を保存するようにしてもよい。また、上記図４と同様に集音部１２を備えて監視カメラ１の映像とともに音声を保存するようにしてもよい。
【００８４】
以上、本発明の実施形態を図面を参照して詳述してきたが、具体的な構成はこの実施形態に限られるものではなく、本発明の要旨を逸脱しない範囲の設計変更等も含まれる。
【図面の簡単な説明】
【００８５】
【図１】本発明の第１の実施形態に係る監視カメラシステムの構成を示すブロック図である。
【図２】本発明に係る監視カメラシステムの処理フロー図である。
【図３】本発明の第１の実施形態による監視カメラシステムに係る動作を説明するための説明図である。
【図４】本発明の第２の実施形態に係る監視カメラシステムの構成を示すブロック図である。
【図５】本発明の第３の実施形態に係る監視カメラシステムの構成を示すブロック図である。
【図６】本発明の第３の実施形態による監視カメラシステムに係る動作を説明するための説明図である。
【図７】本発明の第４の実施形態による監視カメラシステムに係る動作を説明するための説明図である。
【図８】本発明の第５の実施形態に係る監視カメラシステムの構成を示すブロック図である。
【図９】本発明の第５の実施形態による監視カメラシステムに係る動作を説明するための説明図である。
【図１０】本発明の第６の実施形態に係る監視カメラシステムの構成を示すブロック図である。
【図１１】本発明の第６の実施形態による監視カメラシステムに係る動作を説明するためのフローチャートである。
【図１２】本発明の第６の実施形態による監視カメラシステムに係る動作を説明するためのフローチャートである。
【符号の説明】
【００８６】
１…監視カメラ、２…撮影用センサ（第１のセンサ）、３…不審者検出用センサ（第２のセンサ）、４…制御部、５…電源部、６…電源制御部、１２…集音部、２１…通信部、３１…通信ネットワーク、３２…通信端末、４１…警報部、１００…撮影カメラユニット、２００…撮影用センサユニット、３００…不審者検出用センサユニット、４００…制御ユニット４００。
【図１】
2006013721.tif 000003
【図２】
2006013721.tif 000004
【図３】
2006013721.tif 000005
【図４】
2006013721.tif 000006
【図５】
2006013721.tif 000007
【図６】
2006013721.tif 000008
【図７】
2006013721.tif 000009
【図８】
2006013721.tif 000010
【図９】
2006013721.tif 000011
【図１０】
2006013721.tif 000012
【図１１】
2006013721.tif 000013
【図１２】
2006013721.tif 000014